(57)【要約】  【課題】受尿器本体を陰茎に装着して使用される受尿器具において、受尿器本体が陰茎から容易に外れたり、受尿器本体と陰茎との間から尿が漏れたりすることを防止できる受尿器具を提供する。  【解決手段】本実施形態に係る受尿器具１は、根元側が陰茎に装着される陰茎装着部６として機能すると共に、先端側が尿を一時的に溜めておくバッファ部７として機能するコンドーム型の受尿器本体５と、バッファ部７内の尿を排出するために受尿器本体５の先端に接続されるチューブ１５であって、内部の流路を開閉するストッパー１６を有するチューブ１５とを備える。また、本実施形態に係る受尿器具１は、バッファ部７内の尿を吸引するための吸引力を発生させる手動式ポンプ３０と、手動式ポンプ３０の先に接続される蓄尿容器３５とからなる、チューブ１５の先に接続される蓄尿ユニット３５をさらに備える【選択図】図１
2010022459.tif 000002
【特許請求の範囲】
【請求項１】
根元側が陰茎に装着される陰茎装着部として機能すると共に、先端側が尿を一時的に溜めておくバッファ部として機能するコンドーム型の受尿器本体と、
前記バッファ部内の尿を排出するために前記受尿器本体の先端に接続されるチューブであって、内部の流路を開閉するストッパーを有するチューブと、
を備えることを特徴とする男性用受尿器具。
【請求項２】
前記バッファ部内の尿を吸引するための吸引力を発生させる手動式ポンプと、前記手動式ポンプの先に接続される蓄尿容器と、を有する、前記チューブの先に接続される蓄尿ユニットをさらに備えることを特徴とする請求項１記載の男性用受尿器具。
【請求項３】
前記受尿器本体と陰茎との密着度を増すために、前記陰茎装着部の周りに巻き付けられる伸縮性包帯からなる第１固定具をさらに備えることを特徴とする請求項１又は請求項２記載の男性用受尿器具。
【請求項４】
前記受尿器本体と陰茎との密着度を増すために、前記受尿器本体を内部に収容する略筒状のストッキング素材からなる第２固定具であって、前記陰茎装着部に密着する円筒状の陰茎固定部において、その延伸方向に複数の当該陰茎固定部を締め付けるための締結部材を有する第２固定具をさらに備えたことを特徴とする請求項１乃至３何れか１項に記載の男性用受尿器具。
【請求項５】
貯水容器と手動式ポンプとを有する、前記バッファ部内に給水するための給水ユニットと、
手動式ポンプを有する、前記バッファ部内に空気を送り込むための送風ユニットと、
前記蓄尿ユニット、前記給水ユニット又は前記送風ユニットを選択的に前記チューブに接続させるための分岐コネクタと、をさらに備えることを特徴とする請求項２記載の男性用受尿器具。
【発明の詳細な説明】
【技術分野】
【０００１】
本発明は、男性の陰茎に装着し、尿を受けて導尿するための男性用受尿器具に関する。
【背景技術】
【０００２】
従来から、寝たきりの老人等の要介護者や失禁性排尿が生じる頸髄損傷者等の排尿の処理を適切に行うのは困難なため、排尿をサポートするための器具が色々と提供されている。
【０００３】
例えば、下記特許文献１及び２に開示されているように、離れた場所にある蓄尿タンクと導尿カテーテルで接続された筒状の受尿器を陰茎に装着し、排尿時には排尿を受尿器で受け止め、導尿カテーテルを介して蓄尿タンクに集める構成の採尿器が提供されている。
【０００４】
【特許文献１】特開平１０−２５８０９６号公報
【特許文献２】実開平５−５１２６号公報
【発明の開示】
【発明が解決しようとする課題】
【０００５】
上記特許文献１及び２においては、環状の弾性パッドを用いて筒状の受尿器を陰茎に装着しているが、装着者が寝返りをした場合や、立ち上がったり、歩いたりした場合には、受尿器が陰茎から外れたり、受尿器と陰茎との間に隙間が生じたりして、尿が外部に漏れてしまう。
【０００６】
本発明は、上記課題を解決するためになされた発明であり、受尿器本体を陰茎に装着して使用される受尿器具において、受尿器本体が陰茎から容易に外れたり、受尿器本体と陰茎との間から尿が漏れたりすることを防止できる受尿器具を提供することを目的とする。
【課題を解決するための手段】
【０００７】
上記課題を解決するために、本発明に係る男性用受尿器具は、根元側が陰茎に装着される陰茎装着部として機能すると共に、先端側が尿を一時的に溜めておくバッファ部として機能するコンドーム型の受尿器本体と、前記バッファ部内の尿を排出するために前記受尿器本体の先端に接続されるチューブであって、内部の流路を開閉するストッパーを有するチューブと、を備えることを特徴とする。
【発明の効果】
【０００８】
本発明に係る受尿器具によれば、受尿器本体が陰茎から容易に外れたり、受尿器本体と陰茎との間から尿が漏れたりすることを防止できる。
【発明を実施するための最良の形態】
【０００９】
以下、図面を参照しながら、本発明の実施形態について詳細に説明する。図１は、本実施形態に係る男性用の受尿器具の基本構成を示す斜視図である。同図に示すように、本実施形態に係る受尿器具１は、根元側が陰茎に装着されるコンドーム型の受尿器本体５と、受尿器本体５が陰茎から抜けないように固定するための第１固定具１０と、受尿器本体５の先端部に接続されたビニル製のチューブ１５と、を備えている。
【００１０】
受尿器本体５は、広げた状態のコンドームのようなコンドーム型の形状をしており、薄さ0.02〜0.2mm程度のラテックスゴム製であり、伸縮性や変形性に富んでいる。受尿器本体５は、伸びていない状態では、直径32mm、長さ180mmの筒型をしている。受尿器本体５の根元側には、陰茎を挿入するための筒部と同径の開口が形成されているが、先端側では徐々に径が細くなっており、先端には、チューブ１５を接続するための小孔８が形成されている。
【００１１】
受尿器本体５の根元側50mm程度の部分は、陰茎に装着される陰茎装着部６を構成し、先端側130mm程度の部分は、陰茎から排出された尿を一時的に格納するためのバッファ部７を構成する。
【００１２】
もちろん、受尿器本体５のサイズは適宜変更可能であり、例えば、受尿器本体５の直径は、25〜45mmの範囲内、長さは、100mm〜200mmの範囲内で変更するようにすれば良い。また、複数の大きさのサイズの受尿器本体を用意しておき、装着者の陰茎のサイズに合わせて選択的に使用するようにしても良い。また、受尿器本体５の陰茎装着部６を隙間無く陰茎に密着させるためには、受尿器本体５の直径は、装着される陰茎の直径よりも細いのが望ましい。
【００１３】
第１固定具１０は、幅10〜20mm程度の伸縮性包帯であり、図１に示すように、陰茎装着部６において陰茎に装着された受尿器本体５に巻き付けて装着される。なお、第１固定具１０を巻き付ける場所は、亀頭の根元側に位置する陰茎装着部６の部分である。伸縮性包帯の端は、テープで留めるようにしても良いし、結んだり、既に巻いた包帯にねじ込んだりして留めるようにしても良い。このように、第１固定具１０を受尿器本体５の周りに巻き付ければ、受尿器本体５と陰茎との密着性が担保され、受尿器本体５と陰茎との間に生じた隙間から尿が漏れるといったことを防止できる。
【００１４】
チューブ１５は、長さ150mm、内径φ4mmのシリコン製のチューブである。チューブ１５の一端は、受尿器本体５先端の小孔８に接続されており、受尿器本体５内部とチューブ１５内とで流体の行き来が可能である。また、チューブ１５の受尿器本体５との接続側（根元側）の端部は、図２に示すように、タコ足状に拡がるようにチューブ１５自体に軸方向の切り込みが複数入れられている。このタコ足部１５ａが受尿器本体５のバッファ部７内に位置するように、チューブ１５と受尿器本体５とが接続されている。
【００１５】
このようにバッファ部７内にタコ足部１５ａが介在していれば、受尿器本体５の内面が亀頭やチューブ１５の入口端面に密着したり、内面同士が密着したりするといったことを防げる。したがって、バッファ部７内の尿を後述する手動式ポンプによって外部に排出した際に、バッファ部７内に発生する負圧により受尿器本体５の内面が亀頭やチューブ１５の入口端面に張り付いてしまったり、内面同士が張り付いてしまったりして排出流路が遮断される、といったことを防止できる。もちろん、手動式ポンプを使用しない場合でも、確実に排出流路を確保できる。
【００１６】
チューブ１５には、このチューブ１５内の流路を閉じて流体の流れを止めるためのクリップ式の開閉ストッパー１６が備えられている。ストッパー１６が開状態であれば、チューブ１５の内部流路内を流体等が通過可能であり、ストッパー１６が閉状態であれば、チューブ１５内の流路が閉じられ、チューブ１５内を流体等が通過することはできない。
【００１７】
以上、本実施形態に係る受尿器具１の基本構成について説明したが、続いて、受尿器具１の使用態様について説明する。受尿器具１を使用する際には、受尿器本体５の陰茎装着部６の部分を、その根元側から陰茎に被せ、その後、第１固定具１０を陰茎装着部６の周囲に巻き付けることで、受尿器具１を人体に装着する。
【００１８】
また、装着後、バッファ部７を軽く押さえるなどしてバッファ部７内の空気を抜いてから、チューブ１５のストッパー１６を閉じておくと良い。このとき、装着者が包茎の人の場合には、コンドームを装着する場合と同様に、包皮を剥いて亀頭を露わにしたうえで受尿器本体５を装着する。なお、第１固定具１０で巻かれる部分の包皮は、できるだけ根元側にたぐり寄せて、伸びきった状態で受尿器本体５を装着するのが望ましい。また、コンドームを装着するときと同様に、受尿器本体５の陰茎装着部６を予めロール状に巻いておき、亀頭側からロール部分を広げることで陰茎を包み込むように装着しても良い。
【００１９】
装着後、装着者が排尿した場合には、ストッパー１６が閉じているため、尿が受尿器本体５のバッファ部７に溜まることになる。本実施形態では、ゴム製の受尿器本体５のバッファ部７が膨らむことで、300cc程度の尿をバッファ部７に溜めることができる。通常、成人男性が一回に排尿する量は、200cc程度と言われているので、本実施形態に係る受尿器具１であれば、一回の排尿までであれば、十分にバッファ部７に溜めることができる。
【００２０】
バッファ部７に尿が溜まった場合、次の排尿に備えて、バッファ部７内の尿を外へ排出する必要がある。バッファ部７に溜まった尿を外へ排出したい場合、装着者がトイレ等の尿を流せる場所に移動できる場合には、そこへ移動し、チューブ１６の先端を便器内等に向けた後に、ストッパー１６を開けることで、チューブ１６の先端からバッファ部７内の尿を排出することができる。もちろん、バッファ部７内に尿が溜まっていなくても、受尿器本体５を装着したままストッパー１６を開けて通常の排尿を行うことも可能である。
【００２１】
また、装着者が、寝たきりの人など、自由に動くことができない人の場合には、受尿器具１に、図３に示す手動式ポンプ３０と蓄尿容器３５からなる蓄尿ユニット３８をさらに具備させ、蓄尿容器３５内に尿を送り出せばよい。図３は、本実施形態に係る受尿器具を構成する蓄尿ユニットの構成を示す斜視図である。
【００２２】
図３に示すように、蓄尿ユニット３８は、手動式ポンプ３０と蓄尿容器３５とから構成され、受尿器本体５のバッファ部７内の尿を蓄尿容器３５に排出するときには、手動式ポンプ３０の一端（上流側）をチューブ１５の先端に接続すると共に、手動式ポンプ３０の他端（下流側）を蓄尿容器３５の流入チューブ３６に接続する。
【００２３】
手動式ポンプ３０は、長さ200mm、内径φ8mmのシリコン製のチューブ３１と、チューブ３１の上流側（図中左側）に設置された逆止弁３２と、チューブ３１の下流側（図中右側）に設置された逆止弁３３とから構成される。逆止弁３２，３３は、図中左側から右側（上流側から下流側）へのみ流体を流すように構成されており、チューブ３１をつまんで放すのを繰り返すと、手動式ポンプ３０の上流側から下流側へと強制的に流体が流されることになる。
【００２４】
よって、ストッパー１６が開いた状態で、装着者等がチューブ３１を複数回シュポシュポとつまんで凹ませるのを繰り返せば、一回当たり5〜10cc程度の尿が、手動式ポンプ３０によってバッファ部７から蓄尿容器３５へと送られる。また、宇宙ステーション等の無重力環境においても、電力等を必要とすることなく簡単な構成で蓄尿容器３５へと尿を排出することができる。なお、蓄尿容器３５内に溜まった尿は、蓄尿容器３５の下部に設けられた排出口３７を開いて排出することができる。
【００２５】
就寝時や寝たきりの人の場合には、ストッパー１６を開いた状態で蓄尿ユニット３８を常時接続しておけば、排尿により受尿器本体５のバッファ部７内に溜まった尿は、排尿圧やバッファ部７の収縮圧等によって蓄尿容器３５へと排出される。特に、蓄尿容器３５を受尿器本体５のバッファ部７よりも低い位置に設置しておけば、重力によってもバッファ部７内の尿が蓄尿容器３５に送出されることになり、この場合には手動式ポンプ３０はなくても良い。但し、蓄尿容器３５からの逆流を防止するために、蓄尿容器３５の入口部分に逆止弁を設けることが望ましい。
【００２６】
また、装着者が移動する場合でも、蓄尿ユニット３８を接続したうえで、装着者が立ったときに受尿器本体５よりも低くなる位置、例えば、太もも等に蓄尿容器３５を固定しておけば、最初の数回のポンプ動作のみで、後は重力によってバッファ部７内に溜まった尿を適宜蓄尿容器３５に送出することが可能である。また、蓄尿容器３５が受尿器本体５よりも高い位置に設置されている場合や、無重力環境においては、手動でのポンプ作業によって尿を送出する。本実施形態に係る蓄尿容器３５は、600ccの尿を溜めることができるので、トイレ等の尿を捨てる場所が無い場合であっても、二回分程度の排尿を溜めておくことが可能である。
【００２７】
次に、受尿器具１の装着者が歩いて移動する場合などに、受尿器本体５が陰茎から外れてしまうのをより確実に防止するためには、第１固定具１０に加えて、又は第１固定具１０に代えて、図４に示す第２固定具２０を用いても良い。
【００２８】
第２固定具２０は、陰茎に装着された受尿器本体５に被せて設置されることで、受尿器本体５を陰茎に密着して固定させるための部材であり、内部に受尿器本体５を収容するための空間を形成する略筒状の形状をしており、縦横に伸縮性の高いストッキング素材（ポリウレタンやナイロン等の合成繊維）で構成されている。
【００２９】
図４に示すように、第２固定具２０は、受尿器本体５の陰茎装着部６に密着して固定するための陰茎固定部２１と、受尿器本体５のバッファ部７を覆って内部に収納するためのバッファ収納部２２とから構成されている。第２固定具２０の長さは、受尿器本体５よりも少し長い200mmであり、その直径は、陰茎固定部２１においては、受尿器本体５にしっかりと密着するために陰茎装着部６よりも細い20mm、バッファ収納部２２においては、溜まった尿によって膨らんだバッファ部７を収納可能なように最も大きい箇所で50mmである。
【００３０】
第２固定具２０の先端には、受尿器本体５の小孔８に接続されたチューブ１５を通すための開口２３が形成されている。また、第２固定具２０の陰茎固定部２１には、さらに第２固定具２０を締め付けて受尿器本体５への固定を強固にするための締結部材としての一対の締結用紐２４ａ、２４ｂが、円筒状の陰茎固定部２１の延伸方向に沿って４つ設置されている。
【００３１】
このように、締結部材によって第２固定具２０の陰茎固定部２１の延伸方向に沿って複数箇所を絞って締め付けるように構成すれば、陰茎が縮んだときに、包皮が亀頭を包むように先端側にずれることで、受尿器本体５が陰茎から外れてしまうといったことを防止することができる。
【００３２】
つまり、陰茎が縮んで包皮が先端側に戻ろうとする際に、第２固定具２０の締結用紐２４ａ，２４ｂによって締め付けられていない部分の包皮が締め付けられた部分に被るようになり、亀頭の部分まで戻ることを防止できる。いわゆる蛇腹状のように包皮が変形し、余分な包皮が亀頭の部分まで戻るのを阻止することで、受尿器本体５が陰茎から外れるのを防止できる。なお、第２固定具２０については、コストダウンを考えた場合、バッファ収納部２２を除いた陰茎固定部２１のみの構成としても良い。
【００３３】
以上、詳細に説明した本実施形態に係る受尿器具１によれば、図１に示した基本構成であれば、陰茎に装着される受尿器本体５と、ストッパー１６付きのチューブ１５等の小型軽量の部材だけで済むので、装着者は、負担を感じることなく、人体に装着したまま外出が可能である。また、排尿した場合、一回分程度であれば受尿器本体５のバッファ部７内に溜めることができる。
【００３４】
また、本実施形態によれば、受尿器本体５の陰茎装着部６を第１固定具１０や第２固定具２０によってしっかりと陰茎に密着させることができるので、受尿器本体５が陰茎から外れたり、バッファ部７内の尿が外に漏れてしまったりといったことを防止できる。
【００３５】
また、長時間トイレ等の尿を排出できる場所に行けないような場合には、蓄尿ユニット３８を携帯しておき、必要に応じてチューブ１５に接続してバッファ部７内の尿を蓄尿容器３５に移せば、受尿器本体５を着脱することなく、引き続き使用することが可能である。このように、受尿器本体５から蓄尿容器３５に尿を移す作業は、尿を外部に排出するわけではないので、トイレ等でなくても人目のつかない場所であれば行うことが可能である。
【００３６】
また、本実施形態では、受尿器本体５のバッファ部７から蓄尿容器３５へと強制的に尿を排出する動力源として、チューブ型の手動式ポンプ３０を用いており、小型軽量であり持ち運びに便利であると共に、チューブ型で細いため、ズボンの中に装着すれば、外部から見ただけでは分からないといったメリットがある。
【００３７】
以上、本実施形態について説明したが、本発明の実施形態は上記実施形態に限定されるものではなく、本発明の趣旨を逸脱しない範囲内で種々の変形が可能であることは言うまでもない。例えば、上記実施形態では、受尿器本体５のバッファ部７内の負圧によって受尿器本体５の内面が亀頭やチューブ１５の入口端面に張り付いてしまったり、内面同士が張り付いてしまうのを防止するために、受尿器本体５のバッファ部７内に強制的に隙間を形成するための隙間部材として、チューブ１５の根元側先端に切り込みを入れたタコ足部１５ａを用いているが、軟らかい布やスポンジ等で作成した構造物を隙間部材としてバッファ部７内に入れておくことでも同様の作用効果を得ることができる。
【００３８】
また、ストッパー１６は、チューブ１５の途中を挟み込むクリップ式ではなく、チューブ１５の先端に差し込んだりねじ込んだりするキャップ式のストッパーなど、チューブ１５内の流路を閉じたり開いたりできる部材であれば適宜他の構成の部材を採用することができる。
【００３９】
また、上記実施形態では、手動式ポンプとして、チューブ型の手動式ポンプ３０を用いているが、図５に示すようなゴム球型の手動式ポンプ４５を用いても良い。手動式ポンプ４５は、ゴム球４６、上流側の逆止弁４７及び下流側の逆止弁４８を備えており、ゴム球４６を凹ませることで、上流側から下流側（図中左側から右側）へと流体（尿）が送られる。
【００４０】
上記チューブ型の手動式ポンプ３０では、一回あたり5〜10cc程度の容量の流体を送ることができたが、容量の大きいゴム球型の手動式ポンプ４５であれば、一回あたり20〜30cc程度の流体を送ることができる。よって、ゴム球型の手動式ポンプ４５は、携帯性は劣るが、短時間で効率よく受尿器本体５内の尿を蓄尿容器３５へと送ることができる。
【００４１】
（変形例１）
続いて、本実施形態の変形例１について図６を参照しながら説明する。図６は、本実施形態の変形例１に係る受尿器具の構成を示す斜視図である。本変形例１に係る受尿器具は、受尿器本体５を人体に装着するための装着具４０を備えたことを特徴としており、その他の構成は、上記実施形態と同様であるため、同様の構成には同じ番号を付し、説明を省略する。
【００４２】
同図に示すように、装着具４０は、第１帯形布状部材４１、第２帯形布状部材４２、接続紐４４から構成されており、第１帯形布状部材４１と第２帯形布状部材４２の側縁部が縫い合わされて、筒部が形成されている。第１帯形布状部材４１は、第２帯形布状部材４２の３分の１程度の長さであり、両者の後側の位置が合わされている。また、筒部の前後端共に開放端であり、装着時には、この筒部内に受尿器本体５が通される。
【００４３】
第２帯形布状部材４２の前側端部の両端には、接続部材としての接続紐４４が縫い付けられ、第２帯形布状部材４２の後側端部の両端には、同じく接続紐４４が縫い付けられている。これら接続紐４４が、腰に装着されたゴム製の腰紐４９の前後に設けられたボタンに引っ掛けられることで、装着具４０が股間の下側に装着されることになる。
【００４４】
本変形例１によれば、接続紐４４によって腰紐４９に接続された装着具４０が、前方から上方へ、且つ、後方から上方へ引っ張られながら人体に装着される。このとき、陰茎が挿入されている受尿器本体５は、装着具４０の下面（第２帯形布状部材４２の上面）によって、面接触で上方へ押されて、股間の下面に押しつけられると共に、第１帯形布状部材４１及び第２帯形布状部材４２のよって囲まれた筒内に保持されている。
【００４５】
よって、本変形例１によれば、受尿器本体５から陰茎が抜けようとしても、受尿器本体５と陰茎とが密着した状態で装着具４０によって股間に押しつけられているため、簡単に抜けることを防止することができ、受尿器本体５を安定して人体に対して固定することができる。なお、装着具４０を用いる本変形例１においても、上述した第２固定具２０を追加的に、又は第１固定具１０の代わりに用いても良いことは言うまでもない。
【００４６】
また、本変形例１では、装着具４０の接続紐４４を腰に装着された腰紐４９に取り付けることで受尿器具２を人体に対して装着・固定するように構成したが、腰紐４９ではなく、肩に回された紐に接続したり、受尿器具２を下着の中に装着するようにして、下着の上部に接続固定したりするようにしても良く、装着具４０を前方及び後方から上方に引っ張りながら装着できるのであれば、接続部材としての接続紐４４は任意の位置に固定することができる。
【００４７】
また、本変形例１では、装着具を腰紐４９に固定するために紐とボタンを用いているが、例えば、面ファスナー、いわゆるマジックテープ（登録商標）等、手軽に着脱可能な接続部材であれば、適宜他の接続部材を採用して固定するようにしても良い。
【００４８】
（変形例２）
続いて、本実施形態に係る変形例２について説明する。図７は、本実施形態の変形例２に係る受尿器具への追加ユニットを示す平面図である。本変形例では、図７に示す四分岐コネクタ５０を介して、上述した蓄尿容器３５だけでなく、給水ユニット６０及び送風ユニット６５を受尿器本体５に選択的に接続したことを特徴としている。
【００４９】
十字型の四分岐コネクタ５０は、受尿器本体５へとつながるチューブ１５が接続される第１連結部５１と、蓄尿ユニット３８が接続される第２連結部５２と、給水ユニット６０が連結される第３連結部５３と、送風ユニット６５が連結される第４連結部５４とを備えている。また、四分岐コネクタ５０の第２〜第４連結部５２，５３，５４には、それぞれ開閉弁５２ａ，５３ａ，５４ａが設けられており、これら開閉弁５２ａ〜５４ａの開閉を制御することで、第２〜第４連結部５２，５３，５４のうちの何れかの連結部を、第１連結部５１と連通させることができる。
【００５０】
なお、複数の開閉弁５２ａ〜５４ａを設けた四分岐コネクタ５０の代わりに、ダイヤル式のバルブの操作で、第２〜第４連結部５２，５３，５４のうちの何れかの連結部を、第１連結部５１と連通させる構成のコネクタを用いても良い。
【００５１】
給水ユニット６０は、貯水容器６１と、ゴム球型の手動式ポンプ６２と、手動式ポンプ６２と第２連結部５２とを接続するチューブ６３とを備えている。手動式ポンプ６２は、貯水容器６１内の水を四分岐コネクタ５０へ向けて圧送するように構成されている。なお、貯水容器６１を常に受尿器本体５よりも高い位置に設置する場合には、手動式ポンプ６２は無くても良い。
【００５２】
送風ユニット６５は、ゴム球型の手動式ポンプ６６と、手動式ポンプ６６と第３連結部５４とを接続するチューブ６７とを備えている。手動式ポンプ６６は、チューブ６７と接続された逆止弁と反対側の逆止弁から吸入される空気を四分岐コネクタ５０へ向けて圧送するように構成されている。また、手動式ポンプ６６のチューブ６７と接続された逆止弁には、エア抜きバルブが設置されており、受尿器本体５に送り込まれて戻ってきた循環空気等がこのエア抜きバルブを通じて排出される。
【００５３】
よって、本変形例２によれば、四分岐コネクタ５０を適宜切り換えることで、蓄尿ユニット３８、給水ユニット６０又は送風ユニット６５の何れかを受尿器本体５と選択的に接続させることができる。
【００５４】
例えば、排尿後に、まず蓄尿ユニット３８を接続させて受尿器本体５内の尿を蓄尿容器３５へと排出した後に、給水ユニット６０を接続させて洗浄水を受尿器本体５へと送り込んでバッファ部７内の洗浄を行う。そして、再度蓄尿ユニット３８を接続して洗浄液を蓄尿容器３５へと排出した後に、送風ユニット６５を接続してバッファ部７内に送風することで内部を乾燥させれば、受尿器具の装着者に、快適で衛生的な環境を提供することができる。
【００５５】
また、受尿器本体５を装着した後に、まず給水ユニット６０を接続してバッファ部７内に給水することで、受尿器本体５から漏れないかどうかを実際に確認することもできる。なお、本変形例２において、四分岐コネクタ５０を使用しないで、受尿器本体５へとつながるチューブ１５に、蓄尿ユニット３８、給水ユニット６０又は送風ユニット６５をつなぎ替えて使用しても良い。
【図面の簡単な説明】
【００５６】
【図１】図１は、本実施形態に係る男性用の受尿器具の基本構成を示す斜視図である。
【図２】図２は、本実施形態に係るチューブのタコ足部を示す斜視図である。
【図３】図３は、本実施形態に係る受尿器具を構成する蓄尿ユニットの構成を示す斜視図である。
【図４】図４は、本実施形態に係る第２固定具の斜視図である。
【図５】図５は、本実施形態に係るゴム球型の手動式ポンプの斜視図である。
【図６】図６は、本実施形態の変形例１に係る受尿器具の構成を示す斜視図である。
【図７】図７は、本実施形態の変形例２に係る受尿器具への追加ユニットを示す平面図である。
【符号の説明】
【００５７】
１，２          受尿器具
５              受尿器本体
６              陰茎装着部
７              バッファ部
１０            第１固定具
１５            チューブ
１６            ストッパー
２０            第２固定具
２４            締結用紐
３０，４５      手動式ポンプ
３５            蓄尿容器
３８            蓄尿ユニット
４０            装着具
５０            四分岐コネクタ
６０            給水ユニット
６５            送風ユニット
【図１】
2010022459.tif 000003
【図２】
2010022459.tif 000004
【図３】
2010022459.tif 000005
【図４】
2010022459.tif 000006
【図５】
2010022459.tif 000007
【図６】
2010022459.tif 000008
【図７】
2010022459.tif 000009
【手続補正書】
【提出日】平成20年10月1日(2008.10.1)
【手続補正１】
【補正対象書類名】特許請求の範囲
【補正対象項目名】全文
【補正方法】変更
【補正の内容】
【特許請求の範囲】
【請求項１】
根元側が陰茎に装着されるコンドーム型の受尿器本体と、
前記受尿器本体内の尿を排出するために前記受尿器本体の先端に接続されるチューブであって、当該チューブ内部の流路を開閉するストッパーを有するチューブと、
前記受尿器本体内の尿を吸引するための吸引力を発生させる手動式ポンプと、前記手動式ポンプの先に接続される蓄尿容器と、を有する、前記チューブの先に接続される蓄尿ユニットと、
を備えることを特徴とする男性用受尿器具。
【請求項２】
前記チューブの前記受尿器本体側の端部は、前記受尿器本体内に位置すると共に、当該端部がタコ足状に拡がるように切り込みが入れられていることを特徴とする請求項１記載の男性用受尿器具。
【請求項３】
前記受尿器本体と陰茎との密着度を増すために、前記受尿器本体の根元側部分の周りに巻き付けられる伸縮性包帯からなる第１固定具をさらに備えることを特徴とする請求項１又は請求項２記載の男性用受尿器具。
【請求項４】
前記受尿器本体と陰茎との密着度を増すために、前記受尿器本体を内部に収容する略筒状のストッキング素材からなる第２固定具であって、前記受尿器本体の根元側部分に密着する円筒状の陰茎固定部において、その延伸方向に沿って複数設置された当該陰茎固定部を締め付けるための締結部材を有する第２固定具をさらに備えたことを特徴とする請求項１乃至３何れか１項に記載の男性用受尿器具。
【請求項５】
貯水容器と手動式ポンプとを有する、前記受尿器本体内に給水するための給水ユニットと、
手動式ポンプを有する、前記受尿器本体内に空気を送り込むための送風ユニットと、
前記蓄尿ユニット、前記給水ユニット又は前記送風ユニットを選択的に前記チューブに接続させるための分岐コネクタと、をさらに備えることを特徴とする請求項１乃至４何れか１項に記載の男性用受尿器具。
【手続補正２】
【補正対象書類名】明細書
【補正対象項目名】０００７
【補正方法】変更
【補正の内容】
【０００７】
上記課題を解決するために、本発明に係る男性用受尿器具は、根元側が陰茎に装着されるコンドーム型の受尿器本体と、前記受尿器本体内の尿を排出するために前記受尿器本体の先端に接続されるチューブであって、当該チューブ内部の流路を開閉するストッパーを有するチューブと、前記受尿器本体内の尿を吸引するための吸引力を発生させる手動式ポンプと、前記手動式ポンプの先に接続される蓄尿容器と、を有する、前記チューブの先に接続される蓄尿ユニットと、を備えることを特徴とする。